(57)【要約】【課題】外気温が高い日中等であっても、噴霧ノズルから噴霧される霧を包み込む気流空間で形成される環境の空気温度の低下量を大きくすることができる冷却装置を提供する。【解決手段】供給ダクト２１に隣接し、かつ、供給口２０が設置されていない面に配置した背面ダクト４０と、背面ダクト４０の下方に背面ダクト吸気口４１と、背面ダクト４０の上方に背面ダクト排気口４２を設け、吹出ダクト２３に隣接し、かつ、吹出口２２が設置されていない面に配置した天面ダクト５０を設け、天面ダクト５０の一端は、背面ダクト排気口４２と連通した第一の天面ダクト開口部５３を有し、天面ダクト５０の他端は、第二の天面ダクト開口部５４を有することとした。【選択図】図１
2019124395.tif 000002
【特許請求の範囲】
【請求項１】
空気が流出する吹出口と、
前記吹出口を具備し、概水平方向へ空気を搬送する吹出ダクトと、
空気が流入する供給口と、
前記供給口から流入した空気を前記吹出ダクトまで上方へ供給する供給ダクトと、
前記供給ダクトまたは前記吹出ダクトに配置した送風機と、
前記吹出ダクトに設けられており、前記吹出口から下方へ吹き出す空気流によって形成される気流空間に向かって、霧を噴出する噴霧ノズルと、を備え、
前記供給口は、前記吹出口から下方へ吹き出す空気流を吸込む位置に配置し、
前記供給ダクトに隣接し、かつ、前記供給口が設置されていない面に配置した背面ダクトと、
前記背面ダクトの下方に背面ダクト吸気口と、
前記背面ダクトの上方に背面ダクト排気口を設け、
前記吹出ダクトに隣接し、かつ、前記吹出口が設置されていない面に配置した天面ダクトを設け、
前記天面ダクトの一端は、前記背面ダクト排気口と連通した第一の天面ダクト開口部を有し、
前記天面ダクトの他端は、第二の天面ダクト開口部を有することを特徴とする、
冷却装置。
【請求項２】
前記供給口の開口面積が前記吹出口の開口面積よりも大きいことを特徴とする、請求項１に記載の冷却装置。
【請求項３】
前記天面ダクトの途中に、天面ダクト傾斜部を有し、前記天面ダクト傾斜部において、前記吹出ダクトへ開口した天面ダクト吸気口を有したことを特徴とする、請求項１又は２に記載の冷却装置。
【請求項４】
前記送風機を少なくとも２つ、気流の流れに対して並列に配置したことを特徴とする、請求項１から３のいずれか１つに記載の冷却装置。
【請求項５】
前記送風機を少なくとも２つ、気流の流れに対して直列に配置したことを特徴とする、請求項１から３のいずれか１つに記載の冷却装置。
【発明の詳細な説明】
【技術分野】
【０００１】
本発明は、霧を噴出して屋外空間を冷却する冷却装置に関する。
【背景技術】
【０００２】
夏場の気温が高いとき、路面からの照り返しによって路面付近の温度が非常に高くなることがある。この場合、通行者の体感温度が上昇し、通行者の不快感が増大する。
【０００３】
このような不快感を軽減するため、特許文献１には、本体と、本体の周囲に設置され外方に向かって水を霧状に噴霧する少なくとも１つの噴霧ノズルと、この噴霧ノズルの上方に設置され、気流を噴霧ノズルから噴霧される霧に向けて吹き出す通気孔とを備えた冷却装置に関する技術が開示されている。係る冷却装置では、噴霧ノズルから噴霧される霧を包み込む気流空間で形成される環境を、霧の気化熱による冷却作用を利用して効率的に環境を冷却することができる。
【先行技術文献】
【特許文献】
【０００４】
【特許文献１】特開２０１６−２８２１７号公報
【発明の概要】
【発明が解決しようとする課題】
【０００５】
しかしながら、特許文献１に記載の従来技術では、図８に示すように、歩道１０１と車道１０２との境界部に中空体１０３を設け、中空体１０３の歩道１０１側の側壁１３１に通気孔１０４を形成し、制御弁１０８を開き、送水用ポンプ１０６から送水管１０７を経て、噴霧ノズル１０５より中空体１０３の内部空間Ｓに向けて霧の噴霧を行って通気孔１０４から霧を放出させる構造であるが、外気温が高い日中等において中空体１０３が暖められると、通気孔１０４から吹き出す気流の温度が上昇するため、噴霧ノズル１０５から噴霧される霧を包み込む気流空間で形成される環境の空気の温度低下量が小さい。
【０００６】
本発明は、上述の従来の課題を解決するもので、外気温が高い日中等であっても、噴霧ノズルから噴霧される霧を包み込む気流空間で形成される環境の空気の温度低下量を大きくすることができる冷却装置を提供することを目的とする。
【課題を解決するための手段】
【０００７】
前記従来の課題を解決するために、本発明の冷却装置は、空気が流出する吹出口と、吹出口を具備し、概水平方向へ空気を搬送する吹出ダクトと、空気が流入する供給口と、供給口から流入した空気を吹出ダクトまで上方へ供給する供給ダクトと、供給ダクトまたは吹出ダクトに配置した送風機と、吹出ダクトに設けられており、吹出口から下方へ吹き出す空気流によって形成される気流空間に向かって、霧を噴出する噴霧ノズルと、を備え、供給口は、吹出口から下方へ吹き出す空気流を吸込む位置に配置し、供給ダクトに隣接し、かつ、供給口が設置されていない面に配置した背面ダクトと、背面ダクトの下方に背面ダクト吸気口と、背面ダクトの上方に背面ダクト排気口を設け、吹出ダクトに隣接し、かつ、吹出口が設置されていない面に配置した天面ダクトを設け、天面ダクトの一端は、背面ダクト排気口と連通した第一の天面ダクト開口部を有し、天面ダクトの他端は、第二の天面ダクト開口部を有したものである。
【０００８】
これによって、上記の吹出口から吹き出された気流が生成する略ドーム状の気流空間（エアードーム）内の空気が循環するとともに、霧の気化熱によって繰り返し冷却され、外
気温が高い日中等において、暖められた吹出ダクトおよび供給ダクトからの受熱量が低下するので、当該空間内の空気の温度低下量を大きくすることができる。
【発明の効果】
【０００９】
本発明の冷却装置は、外気温が高い日中等であっても、噴霧ノズルから噴霧される霧を包み込む気流空間で形成される環境の空気の温度低下量を大きくすることができる。
【図面の簡単な説明】
【００１０】
【図１】実施の形態１に係る冷却装置１０Ａの構成を示す側面の断面図
【図２】実施の形態１に係る冷却装置１０Ａの構成を示す正面図
【図３】実施の形態１に係る冷却装置１０Ａの構成を示す背面図
【図４】実施の形態２に係る冷却装置１０Ｂの構成を示す側面の断面図
【図５】実施の形態３に係る冷却装置１０Ｃの構成を示す正面図
【図６】実施の形態３に係る冷却装置１０Ｃの構成を示す背面図
【図７】実施の形態４に係る冷却装置１０Ｄの構成を示す側面の断面図
【図８】従来技術の冷却装置の構成を示す図
【発明を実施するための形態】
【００１１】
第１の発明は、冷却装置が、空気が流出する吹出口と、吹出口を具備し、概水平方向へ空気を搬送する吹出ダクトと、空気が流入する供給口と、供給口から流入した空気を吹出ダクトまで上方へ供給する供給ダクトと、供給ダクトまたは吹出ダクトに配置した送風機と、吹出ダクトに設けられており、吹出口から下方へ吹き出す空気流によって形成される気流空間に向かって、霧を噴出する噴霧ノズルと、を備え、供給口は、吹出口から下方へ吹き出す空気流を吸込む位置に配置し、供給ダクトに隣接し、かつ、供給口が設置されていない面に配置した背面ダクトと、背面ダクトの下方に背面ダクト吸気口と、背面ダクトの上方に背面ダクト排気口を設け、吹出ダクトに隣接し、かつ、吹出口が設置されていない面に配置した天面ダクトを設け、天面ダクトの一端は、背面ダクト排気口と連通した第一の天面ダクト開口部を有し、天面ダクトの他端は、第二の天面ダクト開口部を有したことにある。
【００１２】
当該構成によれば、噴霧ノズルから噴霧された霧は、吹出口から吹き出された気流が生成するエアードームから外に流出することが少なく、エアードームで遮断された空間内部で蒸発し、当該空間内の空気は冷却される。当該空間内の低温高湿の空気は、供給口から供給ダクトに流入する。
【００１３】
このとき、供給ダクトに隣接した背面ダクトにおいて、日射によって、背面ダクト内で暖められた空気がエントツ効果により自然対流が生じ、背面ダクト吸気口から空気が流入し、背面ダクト排気口から排気される。これにより、背面ダクトから供給ダクトへの受熱量が減少する。
【００１４】
また、日射によって暖められた天面ダクトの空気は、背面ダクト排気口から排出される空気によって誘引されながら、第二の天面ダクト開口部から吸込まれた空気が、第一の天面ダクト開口部を通過して、機外へ排出される。これにより、天面ダクトから吹出ダクトへの受熱量が減少する。
【００１５】
したがって、供給ダクトおよび吹出ダクトを通過する空気の温度上昇を低減することができるため、当該空間内の空気の温度低下量を大きくすることができる。
【００１６】
第２の発明は、第１の発明において、供給口の面積が吹出口の面積よりも大きいことにある。
【００１７】
当該構成によれば、空気が供給口から取り入れられる際に、供給口の面積が吹出口の面積よりも大きいため、吹出し風速より吸込み風速が遅くなる。これにより、空気中の未蒸発の霧（水滴）は、供給口より取り入れられにくくなり、霧の蒸発をより促進することができる。
【００１８】
したがって、外気の温度が高い場合であっても、当該空間内の空気の温度低下量を大きくすることができる。
【００１９】
第３の発明は、第１または第２の発明において、天面ダクトの途中に、天面ダクト傾斜部を設けて、天面ダクト傾斜部に吹出ダクトへ開口した天面ダクト吸気口を有したことにある。
【００２０】
当該構成によれば、日射が強い場合、供給ダクトに隣接した背面ダクトにおいて、日射によって、背面ダクト内で暖められた空気がエントツ効果により自然対流が生じ、背面ダクト吸気口から空気が流入し、背面ダクト排気口から排熱される。
【００２１】
このとき、日射によって暖められた天面ダクトの空気は、送風機から吹出ダクトに送風された空気の一部が、天面ダクト吸気口から流入し、天面ダクト傾斜部の斜面への衝突噴流によって気流が分配されて、一方は第一の天面ダクト開口部から排出され、他方は第二の天面ダクト開口部へ流れる。第一の天面ダクト開口部から排出される空気は、背面ダクト排気口から排出される空気をさらに誘引し、背面ダクト内の気流の速度を上昇しながら、機外へ排出される。これにより、天面ダクトから吹出ダクトへの受熱量および背面ダクトから供給ダクトへの受熱量が減少する。
【００２２】
したがって、日射が強い場合であっても、背面ダクトおよび天面ダクトの空気温度の上昇を抑制し、供給口から流入した空気の温度上昇を抑制し、噴き出したミストによって、エアードームで遮断された空間内の空気の温度低下量を大きくすることができる。
【００２３】
第４の発明は、第１から第３の発明において、送風機を少なくとも２つ、気流の流れに対して並列に配置したことにある。
【００２４】
当該構成によれば、横から吹く自然風が強い場合であっても、送風機の並列化により、空気流量が増加し、吹出口からの空気流速が速くなる。これにより、吹出空気によって横から吹く自然風を遮断する効果が上がるため、霧の噴霧によって形成される冷空間に対し外気の高温空気が混じる事をより防ぐ事ができる。
【００２５】
したがって、横から吹く自然風が強い場合であっても、当該空間内の空気の湿度上昇を抑制しつつ、温度低下量を大きくすることができる。
【００２６】
第５の発明は、第１から第３の発明において、送風機を少なくとも２つ、気流の流れに対して直列に配置したことにある。
【００２７】
当該構成によれば、横から吹く自然風が強く、かつ、日射が強い場所に設置して供給口から送風機までの風路が暖められて高温になっている場合であっても、送風機の直列化により、機内静圧上昇により、ダクト内空気流量を大幅に増やすことなく吹出口からの空気流速が速くなる。これにより、吹出空気によって横から吹く自然風を遮断する効果が上がり、かつ、ダクト通過時の空気流量が増加しないため、風路を構成する部材との熱交換量は増える事がなく、吹出空気の上昇を防ぎながら、冷空間に対し外気の高温空気が混じる事をより防ぐ事ができる。
【００２８】
したがって、横から吹く自然風が強く、かつ、日射が強い場合であっても、当該空間内の空気の温度低下量を大きくすることができる。
【００２９】
以下、本発明の実施の形態について、図面を参照しながら説明する。なお、本実施の形態によって本発明が限定されるものではない。
【００３０】
＜実施の形態１＞
［冷却装置１０Ａの構成］
図１から図３は、実施の形態１に係る冷却装置１０Ａの構成を示す図である。図１は、冷却装置１０Ａの側面の断面図である。図２は、冷却装置１０Ａの正面図である。図３は、冷却装置１０Ａの背面図である。
【００３１】
図１から図３において、冷却装置１０Ａは、供給口２０、供給ダクト２１と、送風機３０と、吹出口２２と、吹出ダクト２３と、噴霧ノズル２４とを備える。
【００３２】
供給口２０からは、エアードームで遮断された空間内から霧で冷却された低温高湿の空気が流入する。供給口２０の開口部における流入垂直方向角度は自由に設定することができる。例えば図１に示すように、供給口２０を水平方向に開口させることで、雨天時などに供給口２０から雨水が侵入することを防止できる。
【００３３】
供給ダクト２１内では、供給口２０から流入した空気が上方の送風機３０へ向かって流れる。
【００３４】
吹出口２２は、吹出ダクト２３において供給口２０よりも上方の位置に設けられており、吹出ダクト２３内を概水平方向に流れる空気を下方へ吹き出す。吹出口２２は、複数設けられている。ただし、吹出口２２は、１つだけ設けられてもよい。吹出口２２の断面形状は矩形であるが、円形や、楕円形、多角形であってもよい。
【００３５】
送風機３０は、上述の空気の流れを発生させる。すなわち、送風機３０は、供給口２０から流入し、供給ダクト２１を通って、送風機３０によって昇圧され、吹出ダクト２３を通って吹出口２２から吹き出す気流を発生させる。
【００３６】
噴霧ノズル２４は、吹出ダクト２３の下面に設けられており、吹出ダクト２３から離れる下方へ霧を噴出する。噴霧ノズル２４は、複数設けられる。ただし、噴霧ノズル２４は、１つだけ設けられてもよい。
【００３７】
供給口２０は、各吹出口２２から下方へ吹き出す気流の方向に延びる境界線６１によって形成されるエアードームによって仕切られた空間内６０の霧で冷却された空気を取り込んだときに、吸込み空気の温度が、外環境の気温に対して所定の温度以下になるように配置されている。
【００３８】
供給口２０は、２つ以上配置されている。ただし、供給口２０は、１つだけ設けられてもよい。
【００３９】
背面ダクト４０は、供給ダクト２１に隣接し、かつ、供給口２０が設置されていない面に配置されている。供給口２０が設置されていない面は、例えば図１に示すように供給口２０が供給ダクト２１の正面に設置されている場合は、供給ダクト２１の背面や側面の少なくとも１つの面である。背面ダクト吸気口４１は、背面ダクト４０の下方に設けられ、空気を取り込むように、２つ以上配置されている。ただし、背面ダクト吸気口４１は、１
つだけ設けられてもよい。背面ダクト排気口４２は、背面ダクト４０の上方に設けられ、背面ダクト４０内で日射により暖められた空気を排出するように設置されている。背面ダクト排気口４２は、複数設けられていても良いし、一つだけでも良い。
【００４０】
天面ダクト５０は、吹出ダクト２３に隣接し、かつ、吹出口２２が設置されていない面に、吹出ダクト２３の形状に一致させて、天面ダクト５０の一部が傾斜していても良い。吹出口２２が設置されていない面は、例えば図１に示すように吹出口２２が吹出ダクト２３の下面に設置されている場合は、吹出ダクト２３の天面や側面の少なくとも１つの面である。また、天面ダクト５０と吹出ダクト２３の傾斜は、天面ダクト５０と吹出ダクト２３の水平面とそれぞれなす角度が９０度以上１８０度未満（図１で傾斜が右上がりとなる関係）であることが望ましい。また、天面ダクト５０の一端は、少なくとも一つの背面ダクト排気口４２と連通した第一の天面ダクト開口部５３を有し、天面ダクト５０の他端は、第二の天面ダクト開口部５４を有している。
【００４１】
また、供給口２０の総開口面積は、吹出口２２の総開口面積よりも大きい。
【００４２】
また、送風機３０は、供給口２０より取り込んだ空気の下流側にあり、吹出口２２までに至る風路上であれば、供給ダクト２１または吹出ダクト２３の何れの位置に設置しても良い。
【００４３】
［動作］
以下、実施の形態１に係る冷却装置１０Ａの動作及び作用を、図１から図３を参照しながら説明する。
【００４４】
送風機３０が稼働すると、供給口２０から流入し、供給ダクト２１を通って吹出口２２から吹き出す気流が発生する。ここで、エアードームで仕切られた空間内６０には冷たい空気だけでなく未蒸発の霧（水滴）も存在する。供給ダクト２１は鉛直ダクトとなっているため、供給口２０から流入した空気中に含まれる相対的に粒径の大きい水滴は自重で落下し、除去されるので吹出口２２から相対的に粒径が大きな水滴が吹き出さることを防止できる。一方、供給口２０から流入した空気中に含まれる霧中の相対的に粒径の小さい水滴は供給ダクト２１を通過する過程で蒸発し、吹出口２２から吹き出す空気の温度を下げることができる。
【００４５】
噴霧ノズル２４から噴出された霧は、吹出口２２から吹き出された気流によって、エアードームで仕切られた空間内６０の外への流出が抑制され、空間内６０に留まって蒸発する。この霧の気化熱により、空間内６０の空気が冷却される。
【００４６】
供給口２０は、エアードームで仕切られた空間内６０の空気を取り込む位置に配置されている。したがって、供給口２０からは、上述の霧の気化熱により冷却された空気が流入する。その空気は、再び吹出口２２から吹き出されて、上述同様、霧の気化熱によって冷却される。すなわち、エアードームで仕切られた空間内６０の空気が、霧の気化熱によって繰り返し冷却される。これにより、当該空間内６０の空気の温度低下量を大きくすることができる。
【００４７】
このように、エアードームで仕切られた空間内６０の空気を循環させることで、比較的少ない噴霧量（つまり水の使用量）で、当該空間内６０の空気の温度低下量を大きくすることができる。なぜなら、エアードームで仕切られた空間内６０の空気を循環させずに当該空間内６０の空気の温度低下量を大きくするには、単位体積あたりの気化熱量を高めるために、大量の霧を噴出する（つまり大量の水を使用する）必要があるからである。
【００４８】
供給ダクト２１に隣接した背面ダクト４０において、日射によって、背面ダクト４０内で暖められた空気がエントツ効果により自然対流が生じ、背面ダクト吸気口４１から空気が流入し、背面ダクト排気口４２から排気される。これにより、背面ダクト４０から供給ダクト２１への受熱量が減少することで、供給ダクト２１内の空気の温度上昇を抑制することができる。
【００４９】
また、日射によって暖められた天面ダクト５０の空気は、背面ダクト排気口４２から排出される空気によって誘引されながら、第二の天面ダクト開口部５４から吸込まれた空気が、第一の天面ダクト開口部５３を通過して、機外へ排出される。これにより、天面ダクト５０から吹出ダクト２３への受熱量が減少し、吹出ダクト２３内の空気の温度上昇を抑制することができる。
【００５０】
また、空気が供給口２０から取り入れられる際に、供給口２０の総面積が吹出口２２の総面積よりも大きいため、吹出し風速より吸込み風速が遅くなる。これにより、空気中の未蒸発の霧（水滴）は、供給口２０より取り入れられにくくなり、霧の蒸発をより促進し、空気温度を低下することができる。
【００５１】
したがって、外気温が高い環境であっても、当該空間内の空気の温度低下量を大きくすることができる。
【００５２】
本実施の形態の冷却装置１０Ａは、空気が流出する吹出口２２と、吹出口２２を具備し、概水平方向へ空気を搬送する吹出ダクト２３と、空気が流入する供給口２０と、供給口２０から流入した空気を吹出ダクト２３まで上方へ供給する供給ダクト２１と、供給ダクト２１または吹出ダクト２３に配置した送風機３０と、吹出ダクト２３に設けられており、吹出口２２から下方へ吹き出す空気流によって形成される気流空間に向かって、霧を噴出する噴霧ノズル２４と、を備え、供給口２０は、吹出口２２から下方へ吹き出す空気流を吸込む位置に配置し、供給ダクト２１に隣接し、かつ、供給口２０が設置されていない面に配置した背面ダクト４０と、背面ダクト４０の下方に背面ダクト吸気口４１と、背面ダクト４０の上方に背面ダクト排気口４２を設け、吹出ダクト２３に隣接し、かつ、吹出口２２が設置されていない面に配置した天面ダクト５０を設け、天面ダクト５０の一端は、背面ダクト排気口４２と連通した第一の天面ダクト開口部５３を有し、天面ダクト５０の他端は、第二の天面ダクト開口部５４を有したものである。
【００５３】
例えば、図１から図３のように、供給ダクト２１の上流側に供給口２０の開口部を設置することで、吹出口２２から下方に吹き出す空気流の方向に延びる境界線６１によって形成されるエアードームによって仕切られた空間内６０の空気を取り込む位置に供給口２０を配置することができる。
【００５４】
＜実施の形態２＞
実施の形態１でも述べたように、日射が強い場所に設置すると、供給ダクト２１、または、吹出ダクト２３が日射による受熱により暖められて、供給口２０から取り込んだ空気が、吹出口２２まで搬送途中に熱交換により、空気温度が上昇することが起こり得る。
【００５５】
日射が強い場合、背面ダクト４０および天面ダクト５０内の高温になった空気の排気性能を上げるために、送風機３０の風量の一部を用いて、背面ダクト４０および天面ダクト５０内の空気風量を増加させて、断熱性能を向上することが望ましい。そこで、背面ダクト４０および天面ダクト５０の断熱性能を向上する構成について、実施の形態２で説明する。
【００５６】
［冷却装置１０Ｂの構成］
図４は、実施の形態２に係る冷却装置１０Ｂの構成を示す図である。図４は、冷却装置１０Ｂの側面の断面図である。なお、図１と同じ構成部分については、同じ参照符号を用い、詳細な説明を省略する。
【００５７】
図４において、天面ダクト５０の途中に、天面ダクト傾斜部５１を設けて、天面ダクト傾斜部５１に吹出ダクト２３へ開口した天面ダクト吸気口５５が配置されている。
【００５８】
［動作］
以下、実施の形態２に係る冷却装置１０Ｂの動作及び作用を、図４を参照しながら説明する。
【００５９】
日射が強い場合、供給ダクト２１に隣接した背面ダクト４０において、日射によって、背面ダクト４０内で暖められた空気がエントツ効果により自然対流が生じ、背面ダクト吸気口４１から空気が流入し、背面ダクト排気口４２から排熱される。
【００６０】
このとき、日射によって暖められた天面ダクト５０の空気は、送風機３０から吹出ダクト２３に送風された空気の一部が、天面ダクト吸気口５５から流入し、天面ダクト傾斜部５１の斜面への衝突噴流によって気流が分配されて、一方は第一の天面ダクト開口部５３から排出され、他方は第二の天面ダクト開口部５４へ流れる。第一の天面ダクト開口部５３から排出される空気は、背面ダクト排気口４２から排出される空気をさらに誘引し、背面ダクト４０内の気流の速度を上昇しながら、機外へ排出される。これにより、天面ダクト５０から吹出ダクト２３への受熱量および背面ダクト４０から供給ダクト２１への受熱量が減少する。
【００６１】
これにより、日射が強い場合であっても、背面ダクト４０および天面ダクト５０内の空気風量を増加させて、断熱性能を向上させ、供給ダクト２１および吹出ダクト２３内を通過する空気の受熱量を低減することができる。
【００６２】
したがって、日射が強い場合であっても、背面ダクト４０および天面ダクト５０の空気温度の上昇を抑制し、供給口２０から流入した空気の温度上昇を抑制し、噴き出したミストによって、エアードームで遮断された空間内６０の空気の温度低下量を大きくすることができる。
【００６３】
＜実施の形態３＞
横から吹く自然風が強い場所に設置すると、霧の噴霧によって形成される冷空間に対し外気の高温空気が混じり得る。
【００６４】
送風機３０が供給口２０と吹出口２２との間に設けられている場合、吹出口２２から送風される空気によって、横から吹く自然風を遮断する効果を上げるために、送風機３０の風量を増加させることが望ましい。そこで、吹出口２２から送風される空気によって、横から吹く自然風を遮断する構成について、実施の形態３から４で説明する。
【００６５】
［冷却装置１０Ｃの構成］
図５および図６は、実施の形態３に係る冷却装置１０Ｃの構成を示す図である。図５は、冷却装置１０Ｃの正面図である。図６は、冷却装置１０Ｃの背面図である。なお、図１と同じ構成部分については、同じ参照符号を用い、詳細な説明を省略する。
【００６６】
図５において、冷却装置１０Ｃは、供給口２０から吹出口２２までの風路に、送風機３０Ａが、気流の流れに対して並列に２台配置されている。
【００６７】
図５において、送風機３０Ａは、３台以上複数台が並列に設けられてもよい。
【００６８】
［動作］
以下、実施の形態３に係る冷却装置１０Ｃの動作及び作用を、図５および図６を参照しながら説明する。
【００６９】
供給口２０から流入し、供給ダクト２１を通って、送風機３０Ａに到達した空気は分配され、２台の送風機３０Ａに吸込まれて、昇圧して、吹出される。
これにより、横から吹く自然風が強い場合であっても、送風機の並列化により、空気流量が増加し、吹出口２２からの空気流速が速くなる。これにより、吹出空気によって、横から吹く自然風を遮断する効果が上がるため、霧の噴霧によって形成される冷空間に対し外気の高温空気が混じる事をより防ぐ事ができる。
【００７０】
したがって、横から吹く自然風が強い場合であっても、当該空間内の空気の湿度上昇を抑制しつつ、温度低下量を大きくすることができる。
【００７１】
＜実施の形態４＞
［冷却装置１０Ｄの構成］
図７は、実施の形態４に係る冷却装置１０Ｄの構成を示す図である。図７は、冷却装置１０Ｄの側面の断面図である。なお、図１と同じ構成部分については、同じ参照符号を用い、詳細な説明を省略する。
【００７２】
図７において、冷却装置１０Ｄは、供給口２０から吹出口２２までの風路に、送風機３０Ｂが、気流の流れに対して直列に２台配置されている。
【００７３】
図７において、送風機３０Ｂは、３台以上複数台が直列に設けられてもよい。
【００７４】
［動作］
以下、実施の形態４に係る冷却装置１０Ｄの動作及び作用を、図７を参照しながら説明する。
【００７５】
供給口２０から流入し、供給ダクト２１を通って、送風機３０Ｂに到達した空気は、１台目の送風機３０Ｂに吸込まれて、昇圧して、吹出される。次に、２台目の送風機３０Ｂに吸込まれて、さらに昇圧して、吹出される。
これにより、横から吹く自然風が強く、かつ、日射が強い場合であっても、送風機の直列化により、機内静圧上昇により、ダクト内空気流量を大幅に増やすことなく吹出口２２からの空気流速が速くなる。これにより、吹出空気によって、横から吹く自然風を遮断する効果が上がり、かつ、ダクト通過時の空気流量が増加しないため、風路を構成する部材との熱交換量は増える事がなく、吹出空気の上昇を防ぎながら、冷空間に対し外気の高温空気が混じる事をより防ぐ事ができる。
【００７６】
したがって、横から吹く自然風が強く、かつ、日射が強い場合であっても、当該空間内の空気の温度低下量を大きくすることができる。
【００７７】
上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００７８】
本発明は、霧を屋外および半屋外空間に噴き出して屋外および半屋外空間を冷却する冷却装置に用いるのに好適である。
【符号の説明】
【００７９】
１０Ａ、１０Ｂ、１０Ｃ、  １０Ｄ  冷却装置
２０  供給口
２１  供給ダクト
２２  吹出口
２３  吹出ダクト
２４  噴霧ノズル
３０、３０Ａ、３０Ｂ  送風機
４０  背面ダクト
４１  背面ダクト吸気口
４２  背面ダクト排気口
５０  天面ダクト
５１  天面ダクト傾斜部
５３、５４  天面ダクト開口部
５５  天面ダクト吸気口
【図１】
2019124395.tif 000003
【図２】
2019124395.tif 000004
【図３】
2019124395.tif 000005
【図４】
2019124395.tif 000006
【図５】
2019124395.tif 000007
【図６】
2019124395.tif 000008
【図７】
2019124395.tif 000009
【図８】
2019124395.tif 000010